(57)【特許請求の範囲】
【請求項１】
建物の壁体として、上下一対となる上枠ランナ及び下枠ランナと、それら両ランナの間に所定間隔で設けられる複数のスタッドとからなる枠体を有し、該枠体を挟んで両側に壁面材が固定されてなる構造を有し、その壁体について前記壁面材の一部を張り替える張替方法であって、
前記壁体は、隣り合う一対のスタッドと該一対のスタッドに固定された前記壁面材とによりそれぞれ構成される第１壁部及び第２壁部を有し、それら第１壁部及び第２壁部は１つの中間スタッドを共用して互いに隣接して設けられており、前記第１壁部と前記第２壁部とのうち第１壁部に開口部が形成されており、
前記壁面材を、前記開口部の上方部分及び下方部分の少なくとも一方を含み且つ前記第１壁部と前記第２壁部とに架け渡される範囲で切除する第１工程と、
その後、前記壁面材を切除した部位において、前記第１壁部において前記中間スタッドに対して一端を固定した状態で第１下地横架材を取り付けるとともに、前記第２壁部において前記中間スタッドと該中間スタッドに隣り合うスタッドとに対して両端をそれぞれ固定した状態で第２下地横架材を前記第１下地横架材と横並びに取り付ける第２工程と、
その後、前記壁面材を切除した部位において、前記第１下地横架材及び前記第２下地横架材に対して一の張替用壁面材を固定する第３工程と、
を有することを特徴とする壁面材の張替方法。
【請求項２】
前記第１工程においては、前記壁面材を切除する範囲に、前記第２壁部において前記開口部に沿って上方又は下方に向けて延びる部分を含んでいることを特徴とする請求項１に記載の壁面材の張替方法。
【請求項３】
前記第１壁部には、前記開口部の上方となる垂れ壁部及び前記開口部の下方となる腰壁部の少なくともいずれかが設けられており、それら垂れ壁部及び腰壁部には、一端側を前記開口部として前記スタッドに平行に壁下地縦材が設けられており、
前記第１工程では、前記第１壁部において前記中間スタッドと前記壁下地縦材との間で前記壁面材を切除し、
前記第２工程では、前記第１壁部において前記中間スタッドと前記壁下地縦材とに対して両端をそれぞれ固定した状態で前記第１下地横架材を取り付ける請求項１又は２に記載の壁面材の張替方法。
【請求項４】
前記壁面材の下端部は、前記下枠ランナに固定されており、
前記第１工程においては、前記壁面材を切除する範囲に、前記第２壁部において前記開口部に沿って上下方向に向けて延びる部分、及び前記壁面材が前記下枠ランナに対して固定されている部分を含み、
前記第２工程では、前記第１下地横架材を前記開口部の上方位置に取り付けるとともに、前記第２下地横架材を前記第１下地横架材と横並びに取り付け、
前記第３工程では、前記一の張替用壁面材の上端部を前記第１下地横架材及び前記第２下地横架材に対して固定するとともに、下端部を前記下枠ランナに対して固定することを特徴とする請求項１乃至３のいずれか１項に記載の壁面材の張替方法。
【請求項５】
前記第２工程は、
前記第１工程での前記壁面材の切除により露出された前記中間スタッドに対して、前記第１下地横架材を支持する第１支持具を取り付けるとともに、前記第２下地横架材を支持する第２支持具を取り付ける工程と、
前記第１支持具に、前記中間スタッドと前記第１下地横架材との壁面材張替側の側面部が面一となるように前記第１下地横架材を取り付けるとともに、前記第２支持具に、前記中間スタッドと前記第２下地横架材との壁面材張替側の側面部が面一となるように前記第２下地横架材を取り付ける工程と、
を含むことを特徴とする請求項１乃至４のいずれか１項に記載の壁面材の張替方法。
【請求項６】
前記中間スタッド及び前記各下地横架材は溝形鋼よりなり、
前記第２工程は、
前記各支持具としての各アングル材を、その一辺部が前記中間スタッドのウエブ部分に当接し、他辺部が前記中間スタッドから遠ざかる方向に延びる状態で、前記中間スタッドに固定する工程と、
前記各アングル材の他辺部に、前記各下地横架材を取り付ける工程と、
を含むことを特徴とする請求項５に記載の壁面材の張替方法。
【請求項７】
前記第２工程は、
前記第２下地横架材を、壁面材張替側及びそれとは反対側のそれぞれに配置し、前記壁面材張替側の第２下地横架材を、壁面材張替側の側面部が前記中間スタッドと面一となるように前記中間スタッドに固定するとともに、前記壁面材張替側とは反対側の第２下地横架材を、壁面材張替側とは反対側の側面部が前記中間スタッドと面一となるように前記中間スタッドに固定する工程を含むことを特徴とする請求項１乃至６のいずれか１項に記載の壁面材の張替方法。
【請求項８】
前記第２工程では、前記中間スタッドの壁面材張替側の側面部において、上下方向に見て片側部分が、切除されずに残った前記壁面材に重なる部分となるように、残り部分が、新たに前記張替用壁面材を重ね合わせる部分となるように前記第１下地横架材及び前記第２下地横架材を取り付けることを特徴とする請求項１乃至７のいずれか１項に記載の壁面材の張替方法。
【請求項９】
前記壁体は、枠組壁工法で構築される建物の外壁部に耐力壁として用いられるものであり、
該建物において、前記壁体の屋内側の壁面には、該壁面に対して交差する向きで天井面材が固定されており、
前記壁面材において前記天井面材の固定位置よりも下方で、前記壁面材の張替を行うことを特徴とする請求項１乃至８のいずれか１項に記載の壁面材の張替方法。
【発明の詳細な説明】
【技術分野】
【０００１】
本発明は、壁面材の張替方法に関するものである。
【背景技術】
【０００２】
例えば、枠組壁工法により構築される建物としてスチールハウスが知られており、そのスチールハウスにおいて、壁体は、上下一対のランナとそのランナ間に設けられる複数のスタッドとからなる枠体を有し、その枠体を挟んで両側に壁面材がビス固定される構成となっている（壁体については、例えば特許文献１参照）。この場合、スチールハウスでは壁体が耐力壁として使用され、例えば壁体の屋内側面に突き当てるようにして天井面材が固定されている。
【先行技術文献】
【特許文献】
【０００３】
【特許文献１】特開２００２−２８５６６０号公報
【発明の概要】
【発明が解決しようとする課題】
【０００４】
ここで、スチールハウス等の建物の壁体においては、地震等の揺れにより壁面材が損傷したり、何かをぶつけることで壁面材が損傷したりすることが考えられる。この場合、壁面材の張替に際しては、一般に壁体の上端部から下端部にかけて壁面材が一体で張り替えられる。これは、壁体において上下の両ランナの間には下地材がなく、張替後の壁体の強度を考えると、壁面材の全面張替が望ましいと考えられるからである。この場合、壁面材の張替作業が大がかりになり、作業の繁雑化を招くことが懸念される。
【０００５】
また、壁体の屋内側面に天井面材が突き当てられて固定されている場合（いわゆる壁勝ちの場合）には、その天井面材を取り外す作業をした後に、壁面材の張替が行われることになり、その張替作業が極めて煩雑なものとなってしまう。
【０００６】
特に、窓等の開口部が設けられている壁体においては、開口部の角部分が入隅部分となっており、その入隅部分に応力が集中してクラック（裂け目）が生じやすい。この場合、クラックが生じたままにしておくと壁体としての耐力が低下したものとなり、建物の強度上、望ましくないこととなる。かといって、壁面材を上下のランナ間で総張り替えするのでは上記のとおり作業の繁雑化が懸念される。
【０００７】
なお、スチールハウスの耐力壁として使用される場合以外でも、上記のとおり上下一対のランナとそのランナ間に設けられる複数のスタッドとからなる枠体を有し、その枠体を挟んで両側に壁面材が固定される枠体については、壁面材の張替時において上記同様の不都合が生じると考えられる。
【０００８】
本発明は、壁面材の張替作業の簡易化を図ることができる壁面材の張替方法を提供することを主たる目的とするものである。
【課題を解決するための手段】
【０００９】
以下、上記課題を解決するのに有効な手段等につき、必要に応じて作用、効果等を示しつつ説明する。
【００１０】
第１の発明の壁面材の張替方法は、建物の壁体として、上下一対となる上枠ランナ及び下枠ランナと、それら両ランナの間に所定間隔で設けられる複数のスタッドとからなる枠体を有し、該枠体を挟んで両側に壁面材が固定されてなる構造を有し、その壁体について前記壁面材の一部を張り替える張替方法であって、前記壁体は、隣り合う一対のスタッドと該一対のスタッドに固定された前記壁面材とによりそれぞれ構成される第１壁部及び第２壁部を有し、それら第１壁部及び第２壁部は１つの中間スタッドを共用して互いに隣接して設けられており、前記第１壁部と前記第２壁部とのうち第１壁部に開口部が形成されており、前記壁面材を、前記開口部の上方部分及び下方部分の少なくとも一方を含み且つ前記第１壁部と前記第２壁部とに架け渡される範囲で切除する第１工程と、その後、前記壁面材を切除した部位において、前記第１壁部において前記中間スタッドに対して一端を固定した状態で第１下地横架材を取り付けるとともに、前記第２壁部において前記中間スタッドと該中間スタッドに隣り合うスタッドとに対して両端をそれぞれ固定した状態で第２下地横架材を前記第１下地横架材と横並びに取り付ける第２工程と、その後、前記壁面材を切除した部位において、前記第１下地横架材及び前記第２下地横架材に対して一の張替用壁面材を固定する第３工程と、を有することを特徴とする。
【００１１】
第１の発明によれば、開口部の周辺において壁面材の一部が損傷した場合に、その壁面材の全面を張り替えなくてもよく、一部修復で対処できる。かかる場合、第２壁部において第２下地横架材は、その両端がそれぞれスタッドに固定されており、壁面材を張り替えた部分において壁体としての強度が担保されるものとなっている。また、必要箇所のみでの張替が可能となるため、張替作業の簡易化も実現できる。
【００１２】
なお、開口部の上方及び下方の少なくとも一方において中間スタッドを跨ぐ範囲で壁面材が切除される構成において、第１壁部側に配置された第１下地横架材と第２壁部側に配置された第２下地横架材とに一の張替用壁面材が固定される。この場合、一の張替用壁面材が中間スタッドを跨いだ状態で第１壁部及び第２壁部の両方の壁面を形成するため、壁面材を張り替えた部分において、第１壁部と第２壁部との境界部に壁面の段差が生じることを回避できる。
【００１３】
また、第１下地横架材が中間スタッドに対して固定される構成として、第１下地横架材が中間スタッドに直接固定される構成以外に、第１下地横架材が中間スタッドに支持材を介して固定される構成が含まれる。
【００１４】
第２の発明では、前記第１工程においては、前記壁面材を切除する範囲に、前記第２壁部において前記開口部に沿って上方又は下方に向けて延びる部分を含んでいる。
【００１５】
第２の発明によれば、第１壁部と第２壁部とに跨って設けられる張替用壁面材は、例えばＬ字状（又はコ字状）をなすものとなるため、揺れに対する耐力が確保されている。しかも、第２壁部においては、張替用壁面材の上下方向の長さ寸法が大きいほど耐力を確保できる。
【００１６】
第３の発明では、前記第１壁部には、前記開口部の上方となる垂れ壁部及び前記開口部の下方となる腰壁部の少なくともいずれかが設けられており、それら垂れ壁部及び腰壁部には、一端側を前記開口部として前記スタッドに平行に壁下地縦材が設けられており、前記第１工程では、前記第１壁部において前記中間スタッドと前記壁下地縦材との間で前記壁面材を切除し、前記第２工程では、前記第１壁部において前記中間スタッドと前記壁下地縦材とに対して両端をそれぞれ固定した状態で前記第１下地横架材を取り付ける。
【００１７】
第３の発明によれば、第１下地横架材が中間スタッドに加えて壁下地縦材に対して固定されているため、第１壁部の垂れ壁部又は腰壁部において中間スタッド及び壁下地縦材により張替用壁面材を好適に支持できる。
【００１８】
第４の発明では、前記壁面材の下端部は、前記下枠ランナに固定されており、前記第１工程においては、前記壁面材を切除する範囲に、前記第２壁部において前記開口部に沿って上下方向に向けて延びる部分、及び前記壁面材が前記下枠ランナに対して固定されている部分を含み、前記第２工程では、前記第１下地横架材を前記開口部の上方位置に取り付けるとともに、前記第２下地横架材を前記第１下地横架材と横並びに取り付け、前記第３工程では、前記一の張替用壁面材の上端部を前記第１下地横架材及び前記第２下地横架材に対して固定するとともに、下端部を前記下枠ランナに対して固定する。
【００１９】
第４の発明によれば、第２壁部においては下枠ランナに固定されている部分が壁面材の切除領域に含まれているため、第２壁部における張替用壁面材の上下方向の長さ寸法を、第２下地横架材の固定位置に対して最大にできる。この場合、第２壁部においては、張替用壁面材が第２下地横架材と下枠ランナとに架け渡された状態で固定されているため、第２壁部における耐力をより確実に高めることができる。
【００２０】
第５の発明では、前記第２工程は、前記第１工程での前記壁面材の切除により露出された前記中間スタッドに対して、前記第１下地横架材を支持する第１支持具を取り付けるとともに、前記第２下地横架材を支持する第２支持具を取り付ける工程と、前記第１支持具に、前記中間スタッドと前記第１下地横架材との壁面材張替側の側面部が面一となるように前記第１下地横架材を取り付けるとともに、前記第２支持具に、前記中間スタッドと前記第２下地横架材との壁面材張替側の側面部が面一となるように前記第２下地横架材を取り付ける工程と、を含む。
【００２１】
第５の発明によれば、中間スタッドに対して、先に第１支持具及び第２支持具を取り付けた状態で、それら支持具に対して第１下地横架材及び第２下地横架材を取り付けるため、各取付作業を容易化できる。壁面材が切除された状態では中間スタッドが露出するため、各支持具の取付も容易に実施できる。また、各支持具に対して各下地横架材が取り付けられた状態では、中間スタッドと各下地横架材との壁面材張替側の側面部が面一となるため、一の張替用壁面材が第１下地横架材及び第２下地横架材に固定される構成において、中間スタッドを跨ぐ部分（第１壁部と第２壁部との境界部）にて壁面が壁厚み方向に撓むことがなく、仕上がりが良好なものとなる。
【００２２】
なお、中間スタッドに対して下地横架材を取り付ける構成としては、中間スタッドの壁面材張替側の側面部（溝形綱よりなるスタッドの場合、そのフランジ外側面）に、帯板材よりなる下地横架材を直接取り付ける構成が考えられる。ただしこの場合、帯板材の板厚や固定用ビスの存在等を考えると、下地横架材のある部分とない部分とにかけて張替用壁面材の壁面に撓みが生じるおそれがある。これに対し、上記張替方法によれば、中間スタッドを跨ぐ部分にて壁面が壁厚み方向に撓みが生じることがなく、仕上がりが良好なものとなる。
【００２３】
第６の発明では、前記中間スタッド及び前記各下地横架材は溝形鋼よりなり、前記第２工程は、前記各支持具としての各アングル材を、その一辺部が前記中間スタッドのフランジ部分に当接し、他辺部が前記中間スタッドから遠ざかる方向に延びる状態で、前記中間スタッドに固定する工程と、前記各アングル材の他辺部に、前記各下地横架材を取り付ける工程と、を含む。
【００２４】
第６の発明によれば、アングル材と溝形鋼との結合により、第１下地横架材及び第２下地横架材を中間スタッドに容易に取り付けることができ、ひいては壁面材の張替を簡易に実施できる。また、各下地横架材として溝形鋼を用いることにより、張替用壁面材が各下地横架材に対してビス等により固定される際に張替用壁面材が奥側に押圧されても、その張替用壁面材の撓みを抑制できる。
【００２５】
溝形鋼を各下地横架材として用いる場合、ウエブ面が鉛直面となる向きで各下地横架材を取り付け、ウエブ外側面を張替用壁面材の取付面にするとよい。
【００２６】
第７の発明では、前記第２工程は、前記第２下地横架材を、壁面材張替側及びそれとは反対側のそれぞれに配置し、前記壁面材張替側の第２下地横架材を、壁面材張替側の側面部が前記中間スタッドと面一となるように前記中間スタッドに固定するとともに、前記壁面材張替側とは反対側の第２下地横架材を、壁面材張替側とは反対側の側面部が前記中間スタッドと面一となるように前記中間スタッドに固定する工程を含む。
【００２７】
第７の発明によれば、壁体において壁面材張替側に配置された第２下地横架材により張替用壁面材を固定できるのはもちろんのこと、壁面材張替側とは反対側に配置された第２下地横架材が、壁面材張替側とは反対側の壁面材と当接することにより、その壁面材が壁面材張替側に向けて撓むことを抑制できる。さらに、壁面材張替側とは反対側の壁面材を張り替える場合には、前記反対側に既に第２下地横架材が取り付けられているため、壁面材の張替作業を容易化できる。
【００２８】
第８の発明では、記第２工程では、前記中間スタッドの壁面材張替側の側面部において、上下方向に見て片側部分が、切除されずに残った前記壁面材に重なる部分となるように、残り部分が、新たに前記張替用壁面材を重ね合わせる部分となるように前記第１下地横架材及び前記第２下地横架材を取り付ける。
【００２９】
第８の発明によれば、壁面材の非切除部分と切除部分との境界部に設けられる第１下地横架材及び第２下地横架材を、切除されないまま残る壁面材（非張替部分）と、新たに張り替えられた張替用壁面材との固定支持相手として共用できる。これにより、壁面材の非切除部分と切除部分との境界部において第１下地横架材及び第２下地横架材を過多に追加することなく、所望の強度で壁面材を固定することができる。
【００３０】
なお、前記第１工程では、前記第２壁部側において前記中間スタッドに隣り合うスタッドの壁面材張替側の側面部において、横方向に見て片側部分を前記壁面材が切除されない領域とし、残り部分を前記壁面材が切除される領域とし、該切除される領域について前記壁面材を切除することが好ましい。この場合、第２壁部側において壁面材の非切除部分と切除部分との境界部のスタッドを、切除されないまま残る壁面材（非張替部分）と、新たに張り替えられた張替用壁面材との固定支持相手として共用できる。これにより、壁面材の非切除部分と切除部分との境界部においてスタッドを追加することなく、所望の強度で壁面材を固定することができる。
【００３１】
第９の発明では、前記壁体は、枠組壁工法で構築される建物の外壁部に耐力壁として用いられるものであり、該建物において、前記壁体の屋内側の壁面には、該壁面に対して交差する向きで天井面材が固定されており、前記壁面材において前記天井面材の固定位置よりも下方で、前記壁面材の張替を行う。
【００３２】
枠組壁工法で構築される建物では、天井面材の端部が固定されている方の壁面材（すなわち内壁側の壁面材）について破損が生じた場合に、その壁面材を全面張替にすると、その張替作業に多大な負荷が生じるが、第９の発明によれば、その張替作業の負荷が大幅に軽減できる。つまり、壁面材の張替に際し、天井面材の取り外し作業が不要となるため、作業性が大いに向上する。
【００３３】
上記の各張替方法により壁面材が張り替えられた壁体（第１０の発明）は、張替後の強度や仕上がりの点で良好なものとなる。
【図面の簡単な説明】
【００３４】
【図１】壁体の構成を示す図であり、（ａ）は壁体の正面図、（ｂ）は壁体の横断面。
【図２】リップ付き溝形鋼の断面図。
【図３】建物の天井付近の構成を示す断面図。
【図４】壁面材を構成する各板材の正面図。
【図５】壁面材張替の各工程を説明するための壁体の正面図。
【図６】（ａ）は図５（ｂ）のＡ−Ａ線断面図、（ｂ）は図５（ｃ）のＢ−Ｂ線断面図、（ｃ）は図５（ｄ）のＣ−Ｃ線断面図。
【図７】垂れ壁下地材に対する第１下地横架材の取付構造を示す図であり、（ａ）は斜視図、（ｂ）は支持具周辺の縦断面図。
【図８】図５（ｄ）のＥ−Ｅ断面図。
【図９】耐力試験装置の概略構成図。
【図１０】耐力試験の結果を示す図。
【図１１】壁面材張替の各工程を説明するための別の壁体の正面図。
【発明を実施するための形態】
【００３５】
以下、本発明を具体化した一実施形態を図面に基づいて説明する。本実施形態では、建物として枠組壁工法により構築されたスチールハウスにおいて、耐力壁として使用される壁体（外壁パネル）に本発明を具体化している。図１は、壁体１０の構成を示す図であり、（ａ）は壁体１０の正面図、（ｂ）は（ａ）のＡ−Ａ線断面図である。なお、図１（ａ）では、壁面材の上部を切除した状態を示している。また、（ｂ）では便宜上、鋼材の厚みを省略して示すとともに、実際には当接して接合される部分についても若干離間させて示している（後述の図３等も同様）。
【００３６】
図１に示すように、壁体１０は、床部から上方に延びる開口部５６を有するいわゆる門型の壁体となっている。また、壁体１０は、枠体（壁体の骨格）１１として、上下一対となる上枠ランナ１２及び下枠ランナ１３と、それら両ランナ１２，１３の間に所定間隔で設けられる複数のスタッド１４とを有し、該枠体１１を挟んで両側に壁面材１５，１６がそれぞれ固定されている。上下の各ランナ１２，１３は、軽量形鋼としてのリップ無し溝形鋼よりなり、いずれも溝部が上下方向内側を向くように配置されている。上枠ランナ１２及び下枠ランナ１３は、土台や大梁などの建物構造体に対してホールダウン金物やアンカーボルト等により固定されている。
【００３７】
スタッド１４は、軽量形鋼としてのリップ付き溝形鋼よりなり、その上端部及び下端部が各ランナ１２，１３の溝内に挿し入れられた状態で、上下の両ランナ１２，１３に架け渡されるようにして互いに平行に配置されている。各スタッド１４は、溝部がいずれも同じ方向となる向きで設けられている。
【００３８】
複数のスタッド１４のうち、開口部５６を挟む位置に設けられるスタッド１４（以下、開口スタッド１４ａという）は、開口部５６以外に設けられる他のスタッド１４と構成が異なっている。具体的には、開口部５６以外のスタッド１４は１つの溝形鋼を用いて構成されるのに対し、開口スタッド１４ａは、２つの溝形鋼を互いに接合して構成されている。
【００３９】
なお、各開口スタッド１４ａの２つの溝形鋼のうち開口部５６とは反対側の溝形鋼が、壁面材１５，１６がビス固定される部材となっている。また、複数のスタッド１４には、開口スタッド１４ａの他にも、溝部の向きが異なるスタッド１４が含まれていてもよい。
【００４０】
スタッド１４の設置間隔（図のＬ１）は建物の建築モジュールを基準として定められるとよく、本実施形態では尺モジュールを基準とし、例えばＬ１＝９１０ｍｍとして各スタッド１４が設けられている。
【００４１】
スタッド１４を構成するリップ付き溝形鋼について説明すると、図２に示すようにリップ付き溝形鋼はウエブ１８ａとフランジ１８ｂとリップ１８ｃとを有している。そのサイズについて限定はないが、具体的数値を例示すると、ウエブ１８ａの長さＬ２＝８９ｍｍ、フランジ１８ｂの長さＬ３＝４５ｍｍ、リップ１８ｃの長さＬ４＝１２ｍｍとなっている。
【００４２】
図１の説明に戻り、壁体１０において、開口部５６は、その壁体１０を厚み方向に貫通し、壁体１０の下端部（床面）から上方に向けて延びており、掃き出し窓や出入口として使用される。開口部５６は、複数のスタッド１４のうち隣り合う一対の開口スタッド１４ａの間に配置されており、それら開口スタッド１４ａは開口部５６に隣接していることになる。開口スタッド１４ａと、その開口スタッド１４ａに隣り合うスタッド（以下、隣接スタッド１４ｂという）との設置間隔Ｌ５は、他のスタッド１４同士の設置間隔の１／２とされている。例えば、Ｌ５が４５５ｍｍ（＝Ｌ１／２）とされている。
【００４３】
一対の開口スタッド１４ａは、開口部５６の上側に配置された開口横架材５８により連結されている。開口横架材５８は、リップ無し溝形鋼よりなり、その溝部を上方に向けた状態で、一対の開口スタッド１４ａに架け渡されるようにしてランナ１２，１３と平行に延びている。この場合、開口部５６は、床面の上方において、一対の開口スタッド１４ａ及び開口横架材５８により囲まれるようになっており、それら開口スタッド１４ａ及び開口横架材５８は、開口部５６を形成する開口枠に相当する。なお、開口スタッド１４ａが開口枠の縦枠部に相当し、開口横架材５８が開口枠の上枠部に相当する。また、開口横架材５８はまぐさと称することもでき、その横幅が開口部５６と同一とされている。
【００４４】
開口スタッド１４ａの開口部５６側の側面には、開口横架材５８を支持する支持フレーム５９が設けられている。支持フレーム５９は、リップ付き溝形鋼よりなり、開口部５６の上方に配置されている。支持フレーム５９は、開口部５６側（下方）を向いた状態で上下方向に延び、その下端部が開口横架材５８の溝部内に挿し入れられた状態で開口スタッド１４ａに対して固定されている。この場合、開口横架材５８は、支持材としての支持フレーム５９を介して開口スタッド１４ａに固定されていることになる。なお、開口横架材５８は開口スタッド１４ａに直接固定されていてもよい。ちなみに、支持フレーム５９の上端部は、上枠ランナ１２の溝部内に挿し入れられている。
【００４５】
開口部５６の上方には、一対の開口スタッド１４ａの間に垂れ壁部６０が設けられており、その垂れ壁部６０には、開口スタッド１４ａよりも短い垂れ壁下地材６１が上下方向に延びる状態で設けられている。垂れ壁下地材６１は、スタッド１４と同様にリップ付き溝形鋼よりなり、ウエブ６１ａとフランジ６１ｂとリップ６１ｃとを有している（図７参照）。垂れ壁下地材６１は、その溝部が一対の開口スタッド１４ａのうち一方に向くように配置されており、上端部が上枠ランナ１２の溝部内に挿し入れられているとともに、下端部が開口横架材５８の溝部内に挿し入れられている。なお、垂れ壁下地材６１は壁下地縦材に相当する。
【００４６】
垂れ壁下地材６１は、一対の開口スタッド１４ａの中央に配置されており、垂れ壁下地材６１と各開口スタッド１４ａとの設置間隔は、Ｌ１の１／２、すなわちＬ５と同じになっている。この場合、開口スタッド１４ａを挟んで垂れ壁下地材６１と隣接スタッド１４ｂとの設置間隔Ｌ６は、他のスタッド１４の設置間隔Ｌ１と同じになっている。
【００４７】
壁面材１５，１６は、そのうち屋内側となる壁面材１５が石膏ボード等の内壁材により構成され、屋外側となる壁面材１６が窯業系サイディングボード等の外壁材により構成されている。壁面材１５，１６は、縦寸法を上枠ランナ１２から下枠ランナ１３までと同じ長さとし、横寸法をスタッド設置間隔のｎ倍（ｎは１以上の整数）とするサイズの板材１５ａ，１６ａからなり、これらの板材１５ａ，１６ａを枠体１１に対して複数張り合わせて構成されている。なお、耐力壁である壁体１０においては、板材１５ａ，１６ａが構造用面材とされている。
【００４８】
図４は、壁面材１５，１６を構成する各板材１５ａ，１６ａの正面図である。各板材１５ａ，１６ａのサイズは、例えば縦寸法Ｌ７が２６３０ｍｍであり、横寸法Ｌ８が９００ｍｍ（＝Ｌ１）である。横寸法Ｌ８は、スタッド１４同士の設置間隔Ｌ１、及び垂れ壁下地材６１と隣接スタッド１４ｂとの設置間隔Ｌ６と同じである。なお、外壁側と内壁側とで板材１５ａ，１６ａのサイズ（例えば横寸法）を相違させることも可能である。
【００４９】
ここで、各板材１５ａ，１６ａは、開口部５６以外に設けられるものと、開口部５６に設けられるものとで形状が異なっており、開口部５６以外に設けられる板材１５ａ，１６ａは矩形板状をなしているのに対し、開口部５６に設けられる板材１５ａ，１６ａはＬ形状をなしている。つまり、開口部５６に設けられる板材１５ａ，１６ａは矩形板状の板材の一部に矩形の切り欠き部６２が形成されており、切り欠き部６２の上方部分が垂れ壁板部６５となっている。この場合、切り欠き部６２を有する板材１５ａ，１６ａは開口部５６の両側に配置され、それぞれの垂れ壁板部６５を突き合せた状態となる。
【００５０】
板材１５ａ，１６ａは枠体１１に対してビス固定されている。ここでは、屋内側の板材１５ａのビス固定について説明する。なお、屋外側の板材１６ａのビス固定も板材１５ａのビス固定と同様の構成とされている。
【００５１】
図１に示すように、板材１５ａは、上下方向において上枠ランナ１２と下枠ランナ１３とに架け渡されている。また、複数の板材１５ａのうち、開口部５６以外に設けられる板材１５ａは、左右方向において隣り合うスタッド１４に架け渡されているのに対し、開口部５６に設けられる板材１５ａは、開口スタッド１４ａを跨いで垂れ壁下地材６１と隣接スタッド１４ｂとに架け渡されている。
【００５２】
各板材１５ａは、枠体１１に対して所定間隔での所定箇所のビス止めにより固定されている。図中、符号Ｖｓ（黒丸部分）がビス止め位置を示し、例えば、板材１５ａの周縁部においてランナ１２，１３に対するビス止め間隔（固定間隔）は１４７ｍｍとされ、スタッド１４に対するビス止め間隔は１５０ｍｍとされている。また、開口部５６に設けられる板材１５ａは、スタッド１４及びランナ１２，１３に加えて、垂れ壁下地材６１及び開口横架材５８にビス固定されている。
【００５３】
開口部５６に設けられる各板材１５ａは、それぞれの垂れ壁板部６５が共に垂れ壁下地材６１にビス固定される。この場合、垂れ壁部６０においては、各板材１５ａの垂れ壁板部６５が垂れ壁下地材６１のフランジ（壁面側の側面）の約半分の領域で重ね合わされ、その重ね部分でビス止めが行われている。つまり、垂れ壁下地材６１には、同一のフランジに左右２つの板材１５ａが固定されるようになっており、フランジを横に（水平方向に）二分した各領域に左右２つの板材１５ａがそれぞれビス止めされている。
【００５４】
開口部５６に設けられる板材１５ａ、及びその板材１５ａに隣接する板材１５ａは両方とも、隣接スタッド１４ｂにビス固定される。この場合、各板材１５ａが隣接スタッド１４ｂのフランジの約半分の領域で重ね合わされ、その重ね部分でビス止めが行われている。つまり、隣接スタッド１４ｂには、同一のフランジに左右２つの板材１５ａが固定されるようになっており、フランジを横に二分した各領域に左右２つの板材１５ａがそれぞれビス止めされている。
【００５５】
上述のとおり壁体１０では、所定間隔で設けられる複数のスタッド１４に壁面材１５，１６が固定される構成となっており、隣り合う一対のスタッド１４と該一対のスタッド１４に固定された壁面材１５，１６とを有する構成をそれぞれ「壁部」とすると、壁体１０は複数の壁部６３を有するものとなっている。
【００５６】
複数の壁部６３には、開口部５６を有する第１壁部６３ａと、その第１壁部６３ａに隣接する第２壁部６３ｂとが含まれており、第２壁部６３ｂは開口部５６を有していない。この場合、開口スタッド１４ａは第１壁部６３ａと第２壁部６３ｂとの境界部を跨いで配置されており、それら第１壁部６３ａ及び第２壁部６３ｂは開口スタッド１４ａを共用している。この場合、開口スタッド１４ａは中間スタッドに相当する。ちなみに、開口部５６に設けられた板材１５ａの開口スタッド１４ａに対するビス止め位置Ｖｓが第１壁部６３ａと第２壁部６３ｂとの境界部となっている。
【００５７】
なお、隣接スタッド１４ｂは、第２壁部６３ｂとその第２壁部６３ｂに隣接する他の壁部６３との境界部を跨いで配置されており、それら第２壁部６３ｂ及び他の壁部６３は隣接スタッド１４ｂを共用している。ちなみに、開口部５６に設けられた板材１５ａとそれに隣接する板材１５ａとの境界部が、第２壁部６３ｂ及び他の壁部６３との境界部となっている。
【００５８】
なお、屋外側の板材１６ａも同様にビス止めにより枠体１１に対して固定されている。ただし、板材１５ａ，１６ａの材質の違い等に応じて、各板材１５ａ，１６ａのビス止めの間隔が各々個別に設定されるようになっていてもよい。
【００５９】
枠体１１に対して板材１５ａ，１６ａが、上記のごとく上枠ランナ１２及び下枠ランナ１３に対して架け渡された状態で固定されることで、壁体１０が耐力壁としての強度を有するものとなっている。
【００６０】
また、図３は、建物の天井付近の構成を示す断面図である。建物において、外壁パネルとしての壁体１０の屋内側面、すなわち壁面材１５の屋内側面には、溝形鋼（長尺材）よりなる野縁受けランナ２１が水平方向に延びる向きで固定されており、その野縁受けランナ２１に交差（直交）する向きで長尺材からなる野縁２２が固定されている。また、野縁２２の下面側には天井面材２３が固定されている。この場合、建物の施工に際しては、壁体１０が先行して設置され、その後、壁体１０の屋内側面（すなわち壁面材１５の屋内側面）に突き当てるようにして天井面材２３が固定される。つまり、いわゆる壁勝ちの構造となっている。
【００６１】
ところで、壁体１０を有する建物において、地震等による変形荷重が壁体１０に作用したり、壁体１０の内壁面に物がぶつかったりすると、壁面材１５（例えば内壁側の板材１５ａ）の一部が破損することが考えられる。壁面材１５の破損としては、壁面材１５の入隅部に応力が集中することでその入隅部から壁面に沿って延びるように生じるクラック（裂け目）Ｋが挙げられる（図５（ａ）参照）。特に、耐力構造とされている第２壁部６３ｂにクラックＫが入ると、揺れに対する第２壁部６３ｂの耐力が低下し、ひいては耐力壁としての壁体１０の体力が低下してしまう。本実施形態では、壁面材１５の一部が破損した場合に、その破損箇所について壁面材の張替を好適に実施できる張替方法を提案する。
【００６２】
この張替方法は概要として、
（１）壁面材１５において張替対象となる板材１５ａを、開口部５６の上方において第１壁部６３ａと第２壁部６３ｂとの境界部（開口スタッド１４ａ）を跨ぐ範囲で切除する壁面材切除工程（第１工程）と、
（２）その後、壁面材１５を切除した部位において、開口スタッド１４ａに対して、第１壁部６３ａ側に配置される第１下地横架材と、第２壁部６３ｂ側に配置される第２下地横架材とを取り付ける下地材追加工程（第２工程）と、
（３）その後、壁面材１５を切除した部位において、第１下地材横架材及び第２下地横架材に対して一の張替用壁面材を固定する張替工程（第３工程）と、
を有するものとなっており、これら各工程について以下に詳しく説明する。図５は、上記の各工程を説明するための壁体１０の正面図である。また、図６（ａ）は図５（ｂ）のＢ−Ｂ線断面図、図６（ｂ）は図５（ｃ）のＣ−Ｃ線断面図、図６（ｃ）は図５（ｄ）のＤ−Ｄ線断面図である。
【００６３】
（１）壁面材切除工程
図５（ａ）に示すように、開口部５６の周囲に取り付けられた一対の板材１５ａ（壁面材１５）について、一部（図の×部）がクラックＫなどによりそれぞれ破損した場合、その破損部分を含む領域（図のハッチング領域）を切除位置として定め、その領域についてカッタ等の切除器具を用いて板材１５ａを切除する。天井面と開口部５６との間の高さ位置にて、一対の板材１５ａを切断線Ｔに沿ってそれぞれ切断するとともに、切断線Ｔよりも下方部分においてビス止めを解除し、各板材１５ａの切除部分を枠体１１からそれぞれ取り外す。なお、切断線Ｔは、各板材１５ａにおいて、開口部５６の上端と天井面との略中央となる高さ位置にて、開口スタッド１４ａを跨ぐように水平方向に延びている。
【００６４】
図５（ｂ）において、Ｓ１、Ｓ２は一対の板材１５ａを切り抜いたそれぞれの切除領域であり、板材１５ａにおける切断線Ｔの下方部分となっている。切除領域Ｓ１，Ｓ２には、第１壁部６３ａにおいて板材１５ａを切除した部分（開口部５６の上方部分）と、第２壁部６３ｂにおいて板材１５ａを切除した部分とが含まれており、それら部分は開口スタッド１４ａを跨いで左右に連続している。切除領域Ｓ１，Ｓ２は、第１壁部６３ａにおいては切断線Ｔから開口部５６上端まで延びており、第２壁部６３ｂにおいては開口部５６に沿って壁部下端まで延びている。この場合、切除領域Ｓ１，Ｓ２には、開口横架材５８及び下枠ランナ１３に対する板材１５ａの固定部分が含まれていることになる。一対の板材１５ａの切除は、壁体１０を建物に取り付けたままの状態で行われる。つまり、上述のとおり壁体１０には屋内面側に天井面材２３が取り付けられているが、その天井面材２３を取り付けた状態のまま、天井下方部分で各板材１５ａの一部切除が行われる。
【００６５】
この場合、各板材１５ａは、垂れ壁下地材６１の両側においてその垂れ壁下地材６１から開口スタッド１４ａを跨いで隣接スタッド１４ｂに至るまでの範囲で切除されるようになっている。各隣接スタッド１４ｂのフランジ（壁面材張替側の側面部）においては、横方向に見て片側一部分を板材１５ａが切除されない領域とし、残り部分を板材１５ａが切除される領域として、該切除する領域について板材１５ａを切除している。なお、垂れ壁下地材６１のフランジからは一対の板材１５ａの両方を取り除いた状態となっている。
【００６６】
詳しくは、図６（ａ）に示すように、切除領域Ｓ１において板材１５ａの一部を切除した状態では、その切除部分（切除領域Ｓ１）に隣接する境界端部において板材１５ａの端縁部が、隣接スタッド１４ｂのフランジの約半分に重なった状態となっており、そのフランジの残り半分は板材１５ａが重ならない露出部分となっている（図のＺ）。これは、切除領域Ｓ２においても同様である。なお、切除領域Ｓ１，Ｓ２においては、垂れ壁下地材６１及び開口スタッド１４ａの側面部が壁面材張替側に露出している。
【００６７】
（２）下地材追加工程
図５（ｃ）に示すように、板材１５ａの切除部分（切除領域Ｓ１，Ｓ２）においてその切除部分に上下に隣接する板材１５ａの境界端部に、垂れ壁下地材６１及びそれに隣り合う開口スタッド１４ａに対して両端をそれぞれ固定した状態で第１下地横架材２４を取り付けるとともに、開口スタッド１４ａ及びそれに隣り合う隣接スタッド１４ｂに対して両端をそれぞれ固定した状態で第２下地横架材２５を取り付ける。この場合、下地横架材２４，２５は、開口部５６の上方において同じ高さ位置にて横並びとされており、上下方向においてほぼ中央が切断線Ｔと重なる位置にてその切断線Ｔと平行に延びている。また、下地横架材２４，２５は、切除領域Ｓ１，Ｓ２の両方に対して取り付けられているため、第１下地横架材２４は、垂れ壁下地材６１を挟んで両側に配置されていることになる。
【００６８】
図６（ｂ）に示すように、板材１５ａの切除により露出された垂れ壁下地材６１、開口スタッド１４ａ、隣接スタッド１４ｂに対してビス等により支持具２６を取り付けるとともに、該取り付けた各支持具２６に、各スタッド１４ａ，１４ｂと垂れ壁下地材６１と下地横架材２４，２５との壁面材張替側の側面部（フランジ外側面）が面一となるように下地横架材２４，２５を取り付ける。なお、開口スタッド１４ａにおいては、壁面材張替側及びその反対側の両方について２つの溝形鋼の各側面が面一とされており、それら側面に加えて支持フレーム５９の各側面も面一とされている。
【００６９】
下地横架材２４，２５は、スタッド１４と同様にリップ付き溝形鋼であり、ウエブが鉛直面、フランジが水平面となるようにして取り付けられる（図７参照）。下地横架材２４，２５は、各切除領域Ｓ１，Ｓ２において壁面材張替側（屋内側）及びその反対側（屋外側）のそれぞれに互いに平行に配置され、それら一対の下地横架材２４，２５は溝部同士を突き合せた状態で壁厚み方向に並んでいる。この場合、下地横架材２４，２５の各フランジ幅は、各スタッド１４ａ，１４ｂ及び垂れ壁下地材６１の各ウエブ幅の１／２よりも小さくされており、屋内側の下地横架材２４，２５に加えて、屋外側の下地横架材２４，２５についても、側面部が各スタッド１４ａ，１４ｂ及び垂れ壁下地材６１と面一とされている。また、一対の下地横架材２４，２５の各一端は、１つの支持具２６により各スタッド１４ａ，１４ｂ及び垂れ壁下地材６１に固定されている。
【００７０】
ここで、開口スタッド１４ａ及び隣接スタッド１４ｂにおいては、１つのリップ付き溝形鋼に対して１つの下地横架材の一端が固定されている。例えば、開口スタッド１４ａについては、そのウエブ１８ａに対して第２下地横架材２５の一端が支持具２６を介して固定されており、支持フレーム５９のウエブに対して第１下地横架材２４の一端が支持具２６を介して固定されている。この場合、第１下地横架材２４の一端を支持する支持具２６が第１支持具に相当し、第２下地横架材２５の一端を支持する支持具２６が第２支持具に相当する。また、隣接スタッド１４ｂについては、そのウエブ１８ａに対して第２下地横架材２５の他端が支持具２６を介して支持されている。
【００７１】
これに対して、垂れ壁下地材６１においては、１つのリップ付き溝形鋼に対して２つの第１下地横架材２４の一端が同じ高さ位置にて固定されている。垂れ壁下地材６１の両側に第１下地横架材２４が固定される構成について、図７を参照しつつ説明する。図７は、垂れ壁下地材６１に対する第１下地横架材２４の取付構造を示す図であり、これは図５（ｃ）におけるＹ部の構造に相当する。なお、図７においては、（ａ）に斜視図を示し、（ｂ）に支持具２６周辺の縦断面図を示す。
【００７２】
図７（ａ），（ｂ）に示すように、垂れ壁下地材６１には、溝部側とその反対側とに一対の支持具２６が固定されている。各支持具２６は、鋼板をＬ字状に折り曲げてなるアングル材であり、該アングル材の一方の板部２６ａ（一辺部）が垂れ壁下地材６１のウエブ６１ａにビス固定される。また、他方の板部２６ｂ（他辺部）は、板面を水平方向とした状態で、ウエブ６１ａから遠ざかる側に延びており、第１下地横架材２４に固定される。図７（ａ）中の一点鎖線は、垂れ壁下地材６１及び第１下地横架材２４の各フランジ外側面において板材１５ａの端部位置を示す境界線である。
【００７３】
垂れ壁下地材６１の溝部は切除領域Ｓ２側を向いており、切除領域Ｓ１側に配置された支持具２６は、垂れ壁下地材６１のウエブ６１ａの溝側面（内側面）に取り付けられ、切除領域Ｓ２側に配置された支持具２６は、垂れ壁下地材６１のウエブ６１ａの反溝側面（外側面）に取り付けられている。
【００７４】
溝部の反対側の支持具２６においては、上下方向に延びる板部２６ａの長さ寸法Ｍ１（例えば９０ｍｍ）が、水平方向に延びる板部２６ｂの長さ寸法Ｍ２（例えば４５ｍｍ）よりも大きくされている。この支持具２６は、長い方の板部２６ａの下端寄りの部分がビス２７ａにより垂れ壁下地材６１のウエブ６１ａに固定されている。
【００７５】
一方、溝部側の支持具２６においては、上下方向に延びる板部２６ａの長さ寸法Ｍ３（例えば４５ｍｍ）が、溝部とは反対側に配置された支持具２６の板部２６ａの長さ寸法Ｍ１よりも短くされている。このため、溝部側の支持具２６は、ビス２７ａよりも上方において垂れ壁下地材６１のウエブ６１ａに重なり、上端寄りの部分がビス２７ｂによりウエブ６１ａに固定されている。なお、ビス２７ｂは、反溝側の支持具２６の板部２６ａも貫通している。このため、ビス２７ａが反対側の支持具２６に干渉することなく、垂れ壁下地材６１のウエブ６１ａの両面に支持具２６を好適に固定することができる。
【００７６】
また、溝部側の支持具２６において、水平方向に延びる板部２６ｂの長さ寸法Ｍ４（例えば９０ｍｍ）は、垂れ壁下地材６１の溝部の深さ寸法Ｍ５よりも大きくされている。この板部２６ｂの自由端側は溝部の外側に突出しており、その突出した部分に対して第１下地横架材２４が固定されている。
【００７７】
なお、支持具２６を垂れ壁下地材６１や第１下地横架材２４に結合する手法としては、接着剤等、他の結合手法を用いることも可能である。
【００７８】
（３）張替工程
図５（ｄ）に示すように、板材１５ａを切除した部位（切除領域Ｓ１，Ｓ２）において、枠体１１及び下地横架材２４，２５に対して張替用壁面材である新たな張替板材２８をビス等により固定する。張替板材２８の入隅部においても、開口スタッド１４ａ及び開口横架材５８に対してビス固定する。張替板材２８は、板材１５ａと同じ石膏ボート等からなり、未張替部分の板材１５ａに対して隙間無く配される。各張替板材２８は、それぞれ切除領域Ｓ１，Ｓ２（切除された板材１５ａ）と同じ大きさ及び形状とされており、水平方向においては開口スタッド１４ａを跨いで第１壁部６３ａと第２壁部６３ｂとに架け渡された状態とされ、鉛直方向においては下地横架材２４，２５と下枠ランナ１３とに架け渡された状態とされる。
【００７９】
張替板材２８においては、開口部５６の側方に配置された側方板部２８ａが、開口スタッド１４ａと隣接スタッド１４ｂとに架け渡されており、開口部５６及び側方板部２８ａの上方に配置された上方板部２８ｂが、開口スタッド１４ａを跨いで第１壁部６３ａと第２壁部６３ｂとに架け渡されている。側方板部２８ａは、上方板部２８ｂから床面（下枠ランナ１３）まで延びている。
【００８０】
図６（ｃ）に示すように、張替板材２８の上端周辺については、垂れ壁下地材６１、開口スタッド１４ａ、隣接スタッド１４ｂ、第１下地横架材２４及び第２下地横架材２５のそれぞれに重ね合わすようにして張替板材２８が配置され、それらスタッド１４ａ，１４ｂ、垂れ壁下地材６１、下地横架材２４，２５に対してビス等により張替板材２８が固定される。
【００８１】
なお、張替板材２８の周縁部は、全てスタッド１４ａ，１４ｂや垂れ壁下地材６１、下地横架材２４，２５、下枠ランナ１３に対向しており、その対向部分にてそれぞれビス固定が行われる。張替板材２８におけるスタッド１４ａ，１４ｂ及び垂れ壁下地材６１に対するビス止め位置は、切除した板材１５ａのビス止め位置Ｖｓとは上下方向にずれた位置とし、下枠ランナ１３に対するビス止め位置は、ビス止め位置Ｖｓとは水平方向にずれた位置としている。壁面材の張替前と張替後とでビス止め位置を変更することにより、張替板材２８を固定するビスが外れにくくなっている。
【００８２】
ここで、図８は図５（ｄ）のＥ−Ｅ線断面図であり、図８に示すように、張替板材２８における第２下地横架材２５側の上縁部では、その上縁部が固定される第２下地横架材２５に対して、張替板材２８が第２下地横架材２５のフランジの約半分の領域で重ね合わされ、その重ね部分でビス止めが行われている。この場合、第２下地横架材２５においては、同一のフランジの上半分に、切除されずに残る板材１５ａ（非切除の板材１５ａ）が固定され、下半分に張替板材２８が固定されるようになっており、フランジを上下に二分した各領域に板材１５ａと張替板材２８とがそれぞれビス止めされている。この場合、張替板材２８と非切除の板材１５ａとでは、第２下地横架材２５に対するビスの固定間隔が同じとされている。なお、張替板材２８及び非切除の板材１５ａを固定する構成は、第１下地横架材２４についても同様である。
【００８３】
ちなみに、詳細は記載しないが、上記の張替作業に際し、内壁面の化粧クロスは適宜剥がし取られるとともに、壁面材１５の張替後に再貼り付けされる。上記の張替方法は壁面材１６の張替にも適用できる。
【００８４】
壁体１０においては、クラックＫが入った板材１５ａが張替板材２８に張り替えられることにより、壁面材の張替後は、耐力壁として揺れに対する耐力が改善され、クラックＫが入る前と同等以上の耐力を付与することができる。ここでは、壁体１０と同等の構成を有する試験体１００の耐力確認試験について図９、図１０を参照しつつ説明する。図９は耐力試験装置７１の概略構成図、図１０は耐力試験の結果を示す図である。
【００８５】
図９に示すように、試験体１００は、上下のランナ１０１，１０２と、４本のスタッド１０３と、表裏一対の壁面材１０４とを有するものであり、これらは上述した壁体１０のランナ１２，１３、スタッド１４、壁面材１５，１６にそれぞれ相当する。また、４本のスタッド１０３のうち内側２本のスタッドが開口スタッドとなっている。なお、試験体１００においては、壁面材１０４に壁紙は設けられていない。
【００８６】
耐力試験装置７１は、試験体１００の下枠ランナ１３を支持する土台７２と、試験体１００の上枠ランナ１２に対して水平方向の荷重を繰り返し加える加力装置７３とを有している。試験体１００は土台７２の上に載置されており、下枠ランナ１３は、ホールダウン金物やアンカーボルト等により土台７２に固定されている。加力装置７３は、水平方向に伸縮する油圧ジャッキを含んで構成されており、油圧ジャッキの一端が上枠ランナ１２に接続されている。また、耐力試験装置７１は、加力装置７３から試験体１００に加えられた荷重を検出するセンサを有している。さらに、スタッド１４ａ，１４ｂの水平方向及び鉛直方向の変位を検出するセンサを有しており、スタッド１４ａ，１４ｂの各種変位に基づいてせん断変形角を算出する。
【００８７】
耐力試験では、試験体１００として、クラックＫが生じても壁面材の張替が行われていない試験体１００ａと、クラックＫが生じた後に壁面材の張替が行われた試験体１００ｂとを順に耐力試験装置７１にセットし、それぞれの試験体１００ａ，１００ｂについて、せん断変形角に対する試験体１００の耐力（荷重）を測定する。
【００８８】
試験結果は、図１０に示すように、せん断変形角の大きさにかかわらず、壁面材を張替済みの試験体１００ｂの耐力が、張替をしていない試験体１００ａの耐力よりも大きくなっている。この試験結果により、壁体材の張替が行われることにより壁体１０の耐力性能が改善されたことが分かる。
【００８９】
以上詳述した本実施形態によれば、以下の優れた効果が得られる。
【００９０】
図５乃至図８を用いて詳細に説明した壁面材の張替方法によれば、例えば開口部５６の周辺において板材１５ａ（壁面材１５）の一部が損傷した場合に、その板材１５ａの全面を張り替えなくてもよく、一部修復で対処できる。かかる場合、第２壁部６３ｂにおいて第２下地横架材２５は、その両端がそれぞれ開口スタッド１４ａ及び隣接スタッド１４ｂに固定されており、板材１５ａを張り替えた部分において壁体１０としての強度が担保されるものとなっている。また、必要箇所のみでの張替が可能となるため、張替作業の簡易化も実現できる。
【００９１】
しかも、開口部５６の上方において第１壁部６３ａと第２壁部６３ｂとに架け渡される範囲で板材１５ａが切除される構成において、第１壁部６３ａ側に配置された第１下地横架材２４と、第２壁部６３ｂ側に配置された第２下地横架材２５とに１つの張替板材２８が固定されているため、その張替板材２８が第１壁部６３ａ及び第２壁部６３ｂのいずれにおいても屋内側の壁面を形成することになる。したがって、板材１５ａを張り替えた部分において第１壁部６３ａと第２壁部６３ｂとの境界部に壁面の段差が生じることを回避できる。
【００９２】
第１壁部６３ａと第２壁部６３ｂとに跨って設けられる張替板材２８は、切除領域Ｓ１，Ｓ２に対応して略Ｌ字状とされているため、開口部５６の角部（張替板材２８の入隅部）について揺れに対する体力を確保できる。この場合、第２壁部６３ｂにおいては、張替板材２８の上下方向の長さ寸法が大きいほど耐力が高くなるため、壁体１０において壁面材の張替作業が行われても、第２壁部６３ｂの耐力を好適に担保することができる。
【００９３】
切除領域Ｓ１，Ｓ２においては下枠ランナ１３の側面が露出しているため、張替板材２８を第２下地横架材２５と下枠ランナ１３とに架け渡した状態で固定できる。これにより、第２壁部６３ｂにおける耐力をより確実に高めることができる。
【００９４】
第１壁部６３ａの垂れ壁部６０においては、第１下地横架材２４が開口スタッド１４ａに加えて垂れ壁下地材６１に固定されているため、張替板材２８を第１下地横架材２４により好適に支持できる。
【００９５】
壁面材の張替に際し、板材１５ａの切除により露出した開口スタッド１４ａに対して、垂れ壁下地材６１側及び隣接スタッド１４ｂ側からそれぞれ支持具２６を取り付け、それら支持具２６のうち一方に第１下地横架材２４を固定するとともに、他方の支持具２６に第２下地横架材２５を固定し、それら下地横架材２４，２５と開口スタッド１４ａとの壁面材張替側の側面部（溝形綱のフランジ外側面）が面一となるようにした。この場合、先に支持具２６を取り付けた状態で、その支持具２６に対して下地横架材２４，２５を取り付けるため、その取付作業を容易化できる。また、開口スタッド１４ａと下地横架材２４，２５との壁面材張替側の側面部が面一となるため、一の張替板材２８が下地横架材２４，２５に固定される構成において、その張替板材２８が開口スタッド１４ａを跨ぐ部分において壁面が壁厚み方向に撓むことがなく、仕上がりが良好なものとなる。
【００９６】
支持具２６としてのアングル材を用い、その支持具２６に対して第１下地横架材２４及び第２下地横架材２５を取り付けるようにした。この張替方法によれば、アングル材と溝形鋼との結合により、各下地横架材２４，２５を容易に取り付けることができ、ひいては壁面材の張替を簡易に実施できる。また、下地横架材２４，２５として溝形鋼を用いることにより、張替板材２８が下地横架材２４，２５に対してビス等により固定される際に張替板材２８が奥側に押圧されても、その張替板材２８の撓みを抑制できる。
【００９７】
一対の下地横架材２４，２５が壁厚み方向に並べられており、屋内側の下地横架材２４，２５の側面部がスタッド１４ａ，１４ｂ及び垂れ壁下地材６１の側面部と面一とされていることに加えて、屋外側の下地横架材２４，２５の側面部がスタッド１４ａ，１４ｂ及び垂れ壁下地材６１の側面部と面一とされている。このため、屋外側の壁面材１６が屋内側に向けて撓むことを下地横架材２４，２５により抑制できる。また、屋外側において壁面材１６が下地横架材２４，２５に対してビス等により固定されることにより、壁体１０の強度を好適なものとすることができる。さらに、屋外側の壁面材１６を張り替える場合には、既に屋外側に下地横架材２４，２５が取り付けられているため、壁面材の張替作業を容易化できる。
【００９８】
しかも、下地横架材２４，２５においては、板材１５ａの固定される面がウエブにより形成されているため、その面がフランジにより形成された場合に比べて、上下方向における高さ寸法を大きくできる。この場合、下地横架材２４，２５と板材１５ａ及び張替板材２８の各端部とが重なる重なり寸法が大きくなるため、板材１５ａや張替板材２８に対してビス止めを行う際に、そのビス止め位置が上下方向に外れて下地横架材２４，２５にビスが適正に螺着されないということを発生しにくくできる。
【００９９】
下地横架材２４，２５を垂れ壁下地材６１、開口スタッド１４ａ、隣接スタッド１４ｂに取り付ける際に、その下地横架材２４，２５において上下方向に見て片側一部分が、切除されずに残った板材１５ａに重なる部分となるように、残り部分が、新たに張替板材２８を重ね合わせる部分となるようにした。これにより、板材１５ａの非切除部分と切除部分との境界部に設けられる下地横架材２４，２５を、非切除の板材１５ａと張替板材２８との固定支持相手として共用できる。これにより、非切除部分と切除部分との境界部において下地横架材２４，２５を過多に追加することなく、所望の強度で各板材を固定することができる。
【０１００】
板材１５ａの一部を切除する際に、隣接スタッド１４ｂのフランジ外側面において水平横方向に見て片側一部分を、板材１５ａが切除されない領域とし、残り部分を、板材１５ａが切除される領域とし、該切除される領域について板材１５ａを切除するようにした。これにより、板材１５ａの非切除部分と切除部分との境界部の隣接スタッド１４ｂを、非切除の板材１５ａと張替板材２８との固定支持相手として共用できる。これにより、板材１５ａの非切除部分と切除部分との境界部においてスタッド１４を追加することなく、所望の強度で各板材を固定することができる。
【０１０１】
上記張替方法では、壁体１０において天井面材２３の固定位置よりも下方で、板材１５ａ（壁面材１５）の張替を実施できる。天井面材２３の端部が固定されている内壁側の板材１５ａについて破損が生じた場合に、板材１５ａを全面張替にすると、その張替作業に多大な負荷が生じるが、上記張替方法によれば、その張替作業の負荷が大幅に軽減できる。つまり、板材１５ａ（壁面材１５）の張替に際し、天井面材２３の取り外し作業が不要となるため、作業性が大いに向上する。
【０１０２】
張替板材２８において枠体１１及び下地横架材２４，２５に対してビス固定される部位について、板材１５ａの周縁部の枠体１１に対して板材１５ａをビス固定する固定間隔と同じ固定間隔で、ビス固定を行うとともに、板材１５ａにおいて非切除部分と切除部分との境界部となる部位についても、板材１５ａの周縁部の枠体１１に対して板材１５ａをビス固定する固定間隔と同じ固定間隔で、ビス固定を行うようにした。これにより、板材１５ａ（壁面材１５）の一部張替が行われた壁体１０について耐力壁としての強度を維持できる。
【０１０３】
［他の実施形態］
本発明は上記実施形態の記載内容に限定されず、例えば次のように実施されてもよい。
【０１０４】
（１）上記実施形態では、壁面材の張替前において、第１壁部６３ａと第２壁部６３ｂとに跨るように一の板材１５ａが取り付けられていたが、それら壁部６３ａ，６３ｂには別々の板材１５ａが個別に取り付けられていてもよい。また、開口部５６を囲む２つの板材１５ａは、互いに対称形をなしており、それぞれに垂れ壁板部６５を有するものであったが、その２つの板材１５ａのうち一方にのみ垂れ壁板部６５を設け、他方には垂れ壁板部６５を設けない構成（矩形板状とする構成）としてもよい（板材１６ａについても同様）。いずれの場合でも、開口スタッド１４ａを跨ぐ範囲で第１壁部６３ａ及び第２壁部６３ｂのそれぞれから板材１５ａが除去されることで、その除去された部分において、第１下地横架材２４及び第２下地横架材２５を取り付けるとともに、それら下地横架材２４，２５に対して一の張替板材２８を取り付けることが可能となる。これにより、第１壁部６３ａと第２壁部６３ｂとの境界部において壁面の段差が生じることを回避できる。
【０１０５】
（２）上記実施形態では、板材１５ａを、第２壁部６３ｂにおいて開口部５６と天井面との間に延びる切断線Ｔから下端部までの範囲で切除したが、図１１に示すように、上下方向に見て第２壁部６３ｂの中間部を切除してもよい。この構成では、図１１（ａ），（ｂ）に示すように、開口部５６を囲む一対の板材１５ａのうち一方側（例えば切除領域Ｓ１）について、下枠ランナ１３への固定部分を残して板材１５ａが切除され、図１１（ｃ）に示すように、切除領域Ｓ１の上端及び下端の両方に第２下地横架材２５が追加される。
【０１０６】
そして、図１１（ｄ）に示すように、開口スタッド１４ａを跨いで第１壁部６３ａと第２壁部６３ｂとに架け渡される状態で、第２壁部６３ｂにおける上下の固定相手を各第２下地横架材２５として新たな張替板材２８がビス固定される。張替板材２８において下方に向けて延びている側方板部２８ａは床面まで達しておらず、その下端部が開口部５６の上端部及び下端部の中間位置にある。この場合でも、張替板材２８の入隅部は開口スタッド１４ａに対してビス固定される。
【０１０７】
板材１５ａにおいて上下方向に見て第２壁部６３ｂの中間部を切除した場合でも、張替板材２８が第２壁部６３ｂにおいて開口部５６に沿って下方に延びる構成を実現できる。このため、第２壁部６３ｂにおいて張替板材２８の上下方向の長さ寸法が大きくなり、壁体１０の耐力を好適に担保することができる。
【０１０８】
なお、切除領域Ｓ１は図１１に示すように、第２壁部６３ｂでの下端部が第１壁部６３ａでの下端部よりも下方とされていてもよいが、第２壁部６３ｂでの下端部と同じ高さ位置又はそれよりも高い位置とされていてもよい。例えば、切除領域Ｓ１の下端部が第１壁部６３ａと第２壁部６３ｂとで同じ高さ位置とされている場合、切除領域Ｓ１の下端に追加される第２下地横架材２５は、開口部５６の上端である開口横架材５８と同じ高さ位置に配置されることが好ましい。
【０１０９】
ちなみに、壁体１０の側面に突き当てるようにして床面材が固定されている構成（いわゆる壁勝ちの構造）においては、下枠ランナ１３から板材１５ａを取り外す作業が煩雑になると考えられるため、上記のように切除領域Ｓ１を下枠ランナ１３よりも上方に設定することが好ましい。なお、開口部５６の下端部には、下枠ランナ設けられていなくてもよい。
【０１１０】
（３）開口部５６よりも第２壁部６３ｂ側においては、３つのスタッド１４に跨るようにして板材１５ａを切除することも可能である。すなわち、破損位置が水平方向に複数存在している場合や、板材中央のスタッド１４を跨って破損が生じている場合、開口スタッド１４ａから、隣接スタッド１４ｂを挟んで開口スタッド１４ａとは反対側のスタッド１４まで３つのスタッド１４に跨るようにして板材１５ａが切除され、開口スタッド１４ａと隣接スタッド１４ｂとの間に加えて、隣接スタッド１４ｂとそれに隣り合うスタッド１４との間にそれぞれ第２下地横架材２５が追加される。そして、開口スタッド１４ａに加えて隣接スタッド１４ｂを跨いだ状態で第１下地横架材２４及び各第２下地横架材２５に対して張替板材２８がビス固定される。
【０１１１】
（４）上記実施形態では、壁体１０において、開口部５６の上方に垂れ壁部６０を有する構成としたが、これに代えて、開口部５６の下方に腰壁部を有する構成や、それら垂れ壁部６０と腰壁部とを両方有する構成としてもよい。壁体１０が腰壁部を有する構成では、開口横架材５８が開口部５６の下端部に設けられており、第１下地横架材２４は、腰壁部において開口横架材５８の下方に設けられる。また、切除領域Ｓ１，Ｓ２に垂れ壁部６０及び腰壁部のうち一方が含まれている場合は、張替板材２８がＬ字状とされ、垂れ壁部６０及び腰壁部の両方が含まれている場合は、張替板材２８がコ字状とされる。なお、切除領域Ｓ１，Ｓ２に腰壁部が含まれている場合、張替板材２８が開口部５６に沿って上方に向けて延びていることにもなる。
【０１１２】
（５）上記実施形態では、下地横架材２４，２５としてリップ付溝形鋼を用いたが、これ以外にリップ無し溝形鋼を用いたり、角形鋼を用いたり、Ｌ型鋼を用いたり、帯鋼板を用いたりすることも可能である。
【０１１３】
（６）上記実施形態では、建物の外壁パネルとして用いられる壁体に本発明を具体化したが、これ以外に、建物の間仕切壁として用いられる壁体に本発明を具体化することも可能である。すなわち、本発明を、建物の非構造体である壁体に適用してもよい。
【０１１４】
（７）上記実施形態では、枠体として薄板軽量形鋼（溝形鋼）を用いたスチールハウス用の壁体に本発明を適用したが、これ以外に、木質系の枠組壁工法で構築された建物の壁体に本発明を適用することも可能である。この場合、壁体の枠体は、木質の角材により構成される。
【０１１５】
（８）上記実施形態では、地震等により壁面材１５にクラックＫが生じるなど板材１５ａが破損した場合に壁面材の張替を行うとしたが、壁面材の張替が実施される場合としては、屋内の湿り気（例えば洗濯機背後の水濡れ）により板材１５ａが腐食したり、水害時の水没により汚損が生じたりした場合も考えられる。かかる場合にも、上記実施形態の壁面材の張替方法を適用できる。また、破損時等の補修目的以外に、住人等が意図的に壁面材の張替を行う場合にも、上記実施形態の壁面材の張替方法を適用できる。
【０１１６】
（９）上記実施形態では、第１下地横架材２４の両端が、縦材としての垂れ壁下地材６１と、開口スタッド１４ａとに対して固定されているが、一対の開口スタッド１４ａに対して固定されていてもよい。この場合、垂れ壁下地材６１は設けられていないことが好ましい。
【０１１７】
（１０）上記実施形態では、開口スタッド１４ａが開口枠を形成する構成としたが、開口枠が開口スタッド１４ａに対して取り付けられている構成としてもよい。
【０１１８】
（１１）上記実施形態では、切除領域Ｓ１，Ｓ２の上端部分（切断線Ｔ）の高さ位置が、第１壁部６３ａと第２壁部６３ｂとで同じとされたが、高さ位置は第１壁部６３ａと第２壁部６３ｂとで多少異なっていてもよい。
【０１１９】
（１２）壁体１０において、開口部５６と開口部５６以外とでスタッド１４を同じ構成とすることも可能であり、いずれのスタッドにおいても２つの溝形鋼が互いに接合されている構成であってもよい。つまり、開口スタッド１４ａに加えて、隣接スタッド１４ｂやその他のスタッド１４が２つの溝形鋼を有していてもよい。
【符号の説明】
【０１２０】
１０…壁体、１１…枠体、１２…上枠ランナ、１３…下枠ランナ、１４…スタッド、１４ａ…中間スタッドとしての開口スタッド、１４ｂ…スタッドとしての隣接スタッド、１５，１６…壁面材、１５ａ，１６ａ…板材、２４…第１下地横架材、２５…第２下地横架材、２６…第１支持具及び第２支持具としての支持具、２８…張替用壁面材としての張替板材、５６…開口部、６０…垂れ壁部、６１…壁下地縦材としての垂れ壁下地材、６３…壁部、６３ａ…第１壁部、６３ｂ…第２壁部。
【図１】
0005944168.tif 000002
【図２】
0005944168.tif 000003
【図３】
0005944168.tif 000004
【図４】
0005944168.tif 000005
【図５】
0005944168.tif 000006
【図６】
0005944168.tif 000007
【図７】
0005944168.tif 000008
【図８】
0005944168.tif 000009
【図９】
0005944168.tif 000010
【図１０】
0005944168.tif 000011
【図１１】
0005944168.tif 000012